(57)【要約】【課題】管理者による安否確認作業の負荷を減らすことができるようにする。【解決手段】各住戸の住戸制御装置２００は、住戸内における入居者の行動の有無、および当該入居者の行動の有無が検出された日時を示す検出情報を検出情報記憶部３２０に逐次記憶しておく。各住戸制御装置２００では、親機２２０から送信された安否事前確認信号を受信した時以前の所定時間以内に入居者の行動が有ったことを示す検出情報が検出情報記憶部３２０に記憶されている場合はその旨を示す判定結果情報を親機２２０に送信する。この判定結果情報を受けた親機２２０は、当該判定結果情報を送信してきた住戸制御装置２００を安否確認対象外に設定することにより、安否確認を行う直近の所定時間以内に入居者の行動が検出された住戸については、入居者の安否を無事と推定し、安否確認信号を送って安否確認を行わなくても済むようにする。【選択図】図１
2010061414.tif 000002
【特許請求の範囲】
【請求項１】
複数の住戸に設置される住戸制御装置と、前記住戸内における入居者の安否確認を実行するための安否確認信号を前記住戸制御装置に送信し、前記住戸制御装置から送られてくる応答信号に応じて当該住戸内における入居者の安否状況を示す安否状況情報を表示する親機とを有する安否確認システムであって、
前記住戸制御装置は、
前記住戸内における入居者の行動の有無を検出する行動有無検出部と、
前記行動有無検出部により検出された前記入居者の行動の有無、および当該入居者の行動の有無が検出された日時を示す検出情報を逐次記憶する検出情報記憶部と、
前記親機から送信された安否事前確認信号を受信する安否事前確認信号受信部と、
前記安否事前確認信号受信部により前記安否事前確認信号が受信された時以前の所定時間以内に前記住戸内における入居者の行動が有ったことを示す検出情報が前記検出情報記憶部に記憶されているか否かを判定する記憶判定部と、
前記記憶判定部による判定結果を示す判定結果情報を前記親機に送信する判定結果情報送信部とを備え、
前記親機は、
操作部に対するユーザ操作に応じて、前記複数の住戸に設置される前記住戸制御装置に前記安否事前確認信号を送信する安否事前確認信号送信部と、
前記複数の住戸に設置される前記住戸制御装置が備える前記判定結果情報送信部より送信された前記判定結果情報を受信する判定結果情報受信部と、
前記複数の住戸のうち、前記所定時間以内に入居者の行動があったことが前記判定結果情報により示されている住戸について、前記住戸内における入居者を安否確認対象外に設定する設定部と、
前記設定部により安否確認対象外に設定された入居者に対応する住戸制御装置を除いて前記安否確認信号を送信する安否確認信号送信部とを備えたことを特徴とする安否確認システム。
【請求項２】
請求項１に記載の安否確認システムにおいて、
前記住戸制御装置は、前記住戸内における入居者の不在を検出する不在検出部を更に備え、
前記設定部は、前記不在検出部により不在が検出された入居者を安否確認対象外に設定することを特徴とする安否確認システム。
【請求項３】
請求項１または２に記載の安否確認システムにおいて、
前記親機は、前記操作部に対するユーザ操作に応じて、前記住戸の未入居を設定する未入居設定部を更に備え、
前記設定部は、前記未入居設定部により未入居が設定された住戸の入居者を安否確認対象外に設定することを特徴とする安否確認システム。
【発明の詳細な説明】
【技術分野】
【０００１】
本発明は、住戸内における入居者の安否確認を実行する安否確認システムに関するものである。
【背景技術】
【０００２】
近年、複数の住戸から成る高齢者向けの集合住宅では、管理室の管理者が住戸内の入居者の安否を１日に１回などの割合で定期的に確認することが、万が一の事態に適切に対応するためにも望ましいとされている。そこで、住戸内の入居者の安否確認を定期的に行うことができる安否確認システムが提案されている。
【０００３】
図５は、従来の安否確認システム１の全体構成例を示すブロック図である。従来の安否確認システム１において、各住戸２には、応答ボタン３、住戸制御装置４およびタイマカウンタ５が設置されている。また、管理室６には、親機７、ディスプレイ８および安否確認ボタン１０が設置されている。ディスプレイ８には、図６に示すように、各住戸２内の入居者の安否状況を示す安否状況情報９ａ〜９ｏを含む安否状況情報表示画面が表示される。ここで、安否状況情報は、各住戸２の部屋番号を示す部屋番号情報、当該各住戸２の安否状況を示す安否情報を含む。安否情報は、例えば、正常状態（無事）、異常状態の何れかを示す情報である。
【０００４】
安否確認ボタン１０は、各住戸２内の入居者の安否確認を行う際に管理者が押下するものである。管理者が安否確認ボタン１０を押下すると、安否確認信号が親機７から各住戸２に設置された住戸制御装置４に送信される。住戸制御装置４が安否確認信号を受信すると、タイマカウンタ５の計時機能が動作を開始するとともに、安否確認中であることが住戸制御装置４により入居者に報知される。ここで、タイマカウンタ５は、住戸制御装置４が安否確認信号を受信した時刻から現在の時刻までの経過時間を算出する。
【０００５】
一方、安否確認中であることが住戸制御装置４により知らされた各住戸２において、タイマカウンタ５により算出された経過時間が所定時間（例えば、５分）を越える前に応答ボタン３が入居者により操作された場合には、応答信号が住戸制御装置４から親機７に送信される。親機７が住戸制御装置４から応答信号を受信した場合、ディスプレイ８の表示画面には、応答信号を送信した住戸制御装置４が設置されている住戸内における入居者が無事であることを示す安否状況情報が表示される。一方、親機７が住戸制御装置４から応答信号を受信しなかった場合、ディスプレイ８の表示画面には、応答信号を送信しなかった住戸制御装置４が設置されている住戸内における入居者に異常があったことを示す安否状況情報が表示される。
【０００６】
しかしながら、この従来の安否確認システム１では、タイマカウンタ５にて算出される経過時間が所定時間を越える前に、入居者は応答ボタン３を操作しなければならないため、安否確認応答時に入居者の行動が制限されてしまうという問題があった。
【０００７】
この問題に対して、管理室の管理者からの安否確認に対する住戸内の入居者の応答の有無を問わずして、入居者の安否確認を正確に行うことができるようにした技術が提案されている（例えば、特許文献１を参照）。特許文献１に記載の技術は、入居者から管理者への緊急呼び出し検知、入居者の人体感知、水の使用検知、インターホンの使用検知などを入居者の安否確認に利用するところに特徴がある。この特許文献１に記載の技術によれば、入居者が応答ボタンを操作して応答した場合に限らず、管理者は入居者の安否確認を正確に行うことができ、安否確認応答時における入居者の行動の制約も解消することができる。
【特許文献１】特開２００１−３０９０６２号公報
【発明の開示】
【発明が解決しようとする課題】
【０００８】
しかしながら、特許文献１に記載の技術では、入居者から管理者への緊急呼び出し検知、入居者の人体感知などを入居者の安否確認に利用することで安否確認時における入居者の負担を軽減することができるが、各住戸内の入居者の安否確認を行うために、管理室の管理者がディスプレイで確認しなければならない安否状況情報の数は依然として変わらないため、特に住戸数の多い集合住宅においては、管理者による各住戸内の入居者の安否確認作業が煩雑であるという問題があった。
【０００９】
本発明は、このような問題を解決するために成されたものであり、管理者による安否確認作業の負荷を減らすことができるようにすることを目的とする。
【課題を解決するための手段】
【００１０】
上記した課題を解決するために、本発明では、各住戸の住戸制御装置は、当該各住戸内における入居者の行動の有無、および当該入居者の行動の有無が検出された日時を示す検出情報を検出情報記憶部に逐次記憶しておく。そして、安否確認の実行時にはまず、親機から安否事前確認信号を各住戸の住戸制御装置に送信する。各住戸制御装置では、安否事前確認信号を受信した時以前の所定時間以内に入居者の行動が有ったことを示す検出情報が検出情報記憶部に記憶されているか否かを判定し、記憶されている場合はその旨を示す判定結果情報を親機に送信する。この判定結果情報を受けた親機は、当該判定結果情報を送信してきた住戸制御装置が設置されている住戸の入居者を、安否確認対象外に設定するようにしている。
【発明の効果】
【００１１】
上記のように構成した本発明によれば、安否確認を行う直近の所定時間以内に入居者の行動が検出された住戸については、安否事前確認信号に基づく判定処理により、入居者の安否が無事（正常状態）と推定され、安否確認信号を送って安否確認を行わなくても済むようになる。このため、例えば安否が無事（正常状態）と推定された入居者の安否状況情報をディスプレイの表示対象から外す（あるいは目立たない表示とする）ようにすれば、管理者が全住戸内における入居者の安否状況情報を確認しなければならない従来技術に比べて、実際に安否確認の結果としてディスプレイに表示される安否状況情報を確認しなければならない入居者の数は減ることとなる。よって、管理者による安否確認作業の負荷を減らすことができる。
【発明を実施するための最良の形態】
【００１２】
以下、本発明の第１の実施形態を図面に基づいて説明する。図１は、第１の実施形態による安否確認システム１００の全体構成例を示すブロック図である。図１に示すように、第１の実施形態の安否確認システム１００は、生活サイクルセンサ１２０、応答ボタン１４０、天井スピーカ１６０、住戸制御装置２００、親機２２０、ディスプレイ２４０、スピーカ２６０および安否確認ボタン２８０を備えている。
【００１３】
このうち、生活サイクルセンサ１２０、応答ボタン１４０、天井スピーカ１６０および住戸制御装置２００は、例えば、集合住宅の各住戸に設置される。親機２２０、ディスプレイ２４０、スピーカ２６０および安否確認ボタン２８０は、管理室に設置される。そして、住戸制御装置２００および親機２２０の間が有線または無線の通信回線にて電気的に接続されている。なお、第１の実施形態では複数の住戸を有する集合住宅に設けられる安否確認システム１００を例にとって説明するが、安否確認システム１００は、複数の居室を有する場所であって各居室内の入居者の安否を確認することが必要な場所であれば、何れの場所（例えば、介護施設等）に設けられても良い。
【００１４】
生活サイクルセンサ１２０は、各住戸の所定の場所に設置され、住戸制御装置２００との間で通信可能に電気的に接続されている。この生活サイクルセンサ１２０は、住戸内の入居者の動きや当該入居者による水道・ガス・トイレの使用を検出するために使用されるセンサの総称または何れか１つを指す。生活サイクルセンサ１２０は、入居者の動きを検出した場合または水道等の使用を検出した場合、検出信号を住戸制御装置２００に出力する。
【００１５】
応答ボタン１４０は、各住戸の所定の場所に設置され、住戸制御装置２００との間で通信可能に電気的に接続されている。この応答ボタン１４０は、安否確認中に住戸内の入居者が押下するために使用される。応答ボタン１４０は、住戸内の入居者により押下されたことを検出した場合、応答信号を住戸制御装置２００に出力する。
【００１６】
天井スピーカ１６０は、各住戸の天井に設置され、住戸制御装置２００との間で通信可能に電気的に接続されている。この天井スピーカ１６０は、管理室に居る管理者が入居者に対して、安否確認中であることを通知するために使用される。
【００１７】
ディスプレイ２４０は、管理室の所定の場所に設置され、親機２２０との間で通信可能に電気的に接続されている。このディスプレイ２４０は、親機２２０より出力された安否状況情報表示画面を表示する。安否状況情報表示画面には、各住戸内の入居者の安否状況を示す安否状況情報が表示される。
【００１８】
スピーカ２６０は、管理室の所定の場所に設置され、親機２２０との間で通信可能に電気的に接続されている。このスピーカ２６０は、管理室に居る管理者に対して、ある住戸内における入居者に異常があったことを通知するために使用される。
【００１９】
安否確認ボタン２８０は、管理室の所定の場所に設置され、親機２２０との間で通信可能に電気的に接続されている。この安否確認ボタン２８０は、各住戸内の入居者の安否確認を行う際に管理者が押下するために使用される。安否確認ボタン２８０は、管理者により押下されたことを検出した場合、安否確認操作信号を親機２２０に出力する。
【００２０】
次に、住戸制御装置２００の機能構成について説明する。図１に示すように、住戸制御装置２００は、行動有無検出部３００、検出情報記憶部３２０、安否事前確認信号受信部３４０、記憶判定部３６０、判定結果情報送信部３８０、安否確認信号受信部４００、タイマカウンタ４２０、応答操作検出部４４０、安否判定部４６０、および安否状況情報送信部４８０を備えて構成されている。
【００２１】
行動有無検出部３００は、生活サイクルセンサ１２０により入居者の動きまたは当該入居者による水道・ガス・トイレの使用が検出された場合に、入居者の行動が有ったと判断する。そして、行動有無検出部３００は、生活サイクルセンサ１２０から出力された検出信号に基づいて、入居者の行動が有ったこと、および当該入居者の行動が有ったことが検出された日時を示す検出情報をログ情報として生成し、検出情報記憶部３２０に逐次記憶させる。検出情報記憶部３２０は、行動有無検出部３００によりログ情報として生成された検出情報を時系列的に記憶している。
【００２２】
安否事前確認信号受信部３４０は、親機２２０より送信された安否事前確認信号を受信する。そして、安否事前確認信号受信部３４０は、安否事前確認信号を受信した日時を示す受信日時情報を記憶判定部３６０に出力する。
【００２３】
記憶判定部３６０は、安否事前確認信号受信部３４０より供給された受信日時情報により示される日時以前の所定時間（例えば、１時間）以内に住戸内における入居者の行動が有ったことを示す検出情報が検出情報記憶部３２０に記憶されているか否かを判定する。そして、記憶判定部３６０は、入居者の行動が有ったことを示す検出情報が検出情報記憶部３２０に記憶されているか否かを示す判定結果情報を判定結果情報送信部３８０に出力する。
【００２４】
判定結果情報送信部３８０は、記憶判定部３６０より出力された判定結果情報を親機２２０に送信する。ここで、判定結果情報は、各住戸を識別するための住戸ＩＤ（Ｉｄｅｎｔｉｆｉｃａｔｉｏｎ）および検出情報が検出情報記憶部３２０に記憶されているか否かを示す判定結果を含む。
【００２５】
安否確認信号受信部４００は、親機２２０より送信された安否確認信号を受信する。そして、安否確認信号受信部４００は、安否確認信号を受信した旨を示す通知信号をタイマカウンタ４２０に出力するとともに、住戸内における入居者に対して「安否確認中です。応答ボタンを押してください。」というメッセージを天井スピーカ１６０を介して通知する。この通知を受けた入居者は、応答ボタン１４０を押下する。
【００２６】
タイマカウンタ４２０は、安否確認信号受信部４００から出力された通知信号を入力し、当該通知信号を入力した時刻から現在の時刻までの経過時間を算出する。そして、タイマカウンタ４２０は、算出した経過時間を示す経過時間情報を安否判定部４６０に出力する。
【００２７】
応答操作検出部４４０は、入居者による応答ボタン１４０の押下を検出する。すなわち、応答操作検出部４４０は、応答ボタン１４０から応答信号を入力した場合、応答ボタン１４０が押下されたことを検出する。応答操作検出部４４０は、入居者による応答ボタン１４０の押下を検出した場合、その旨を示す応答操作検出信号を安否判定部４６０に出力する。
【００２８】
安否判定部４６０は、タイマカウンタ４２０より出力された経過時間情報を入力し、その経過時間情報により示される経過時間が所定時間（例えば、５分）を越える前に、応答操作検出部４４０より出力された応答操作検出信号を入力したか否かを判定する。もし、経過時間が所定時間を越える前に応答操作検出信号を入力したと安否判定部４６０にて判定した場合、安否判定部４６０は、入居者が無事であることを示す安否正常情報を安否状況情報送信部４８０に出力する。一方、経過時間が所定時間を越えても応答操作検出信号を入力していないと安否判定部４６０にて判定した場合、安否判定部４６０は、入居者に異常があったことを示す安否異常情報を安否状況情報送信部４８０に出力する。
【００２９】
安否状況情報送信部４８０は、安否判定部４６０より出力された安否正常情報を入力した場合、当該安否正常情報を含む安否状況情報を親機２２０に送信する。また、安否状況情報送信部４８０は、安否判定部４６０より出力された安否異常情報を入力した場合、当該安否異常情報を含む安否状況情報を親機２２０に送信する。ここで、安否状況情報は、各住戸を識別するための住戸ＩＤおよび、安否正常情報または安否異常情報のうち何れかの情報を含む。
【００３０】
次に、親機２２０の機能構成について説明する。図１に示すように、親機２２０は、住戸情報記憶部５００、安否確認操作検出部５２０、安否事前確認信号送信部５４０、判定結果情報受信部５６０、安否状況情報受信部５８０、設定部６００、安否状況情報表示部６２０、安否確認信号送信部６４０および警告部６６０を備えて構成されている。
【００３１】
住戸情報記憶部５００は、各住戸に関する住戸情報を記憶する。ここで、住戸情報は、各住戸を識別するための住戸ＩＤ、各住戸の部屋番号を示す部屋番号情報、各住戸の入居者を識別するための入居者ＩＤ、各住戸の入居者の氏名を示す氏名情報、および各住戸の安否状況を示す安否状況情報を含む。
【００３２】
安否確認操作検出部５２０は、安否確認ボタン２８０の押下を検出する。すなわち、安否確認操作検出部５２０は、安否確認ボタン２８０から安否確認操作信号を入力した場合、安否確認ボタン２８０が押下されたことを検出する。安否確認操作検出部５２０は、安否確認ボタン２８０の押下を検出した場合、その旨を示す安否確認操作検出信号を安否事前確認信号送信部５４０に出力する。
【００３３】
安否事前確認信号送信部５４０は、安否確認操作検出部５２０より出力された安否確認操作検出信号を入力した場合、住戸情報記憶部５００に記憶されている住戸情報に含まれる各住戸ＩＤに対応する住戸に設置されている住戸制御装置２００に対して、安否事前確認信号を送信する。ここで、安否事前確認信号は、各住戸を識別するための住戸ＩＤを含む。
【００３４】
判定結果情報受信部５６０は、各住戸制御装置２００の判定結果情報送信部３８０より送信された判定結果情報を受信する。そして、判定結果情報受信部５６０は、受信した判定結果情報を設定部６００に出力する。
【００３５】
安否状況情報受信部５８０は、住戸制御装置２００の安否状況情報送信部４８０より送信された安否状況情報を受信する。そして、安否状況情報受信部５８０は、受信した安否状況情報を設定部６００に出力する。
【００３６】
設定部６００は、判定結果情報受信部５６０より出力された判定結果情報を入力し、その判定結果情報に含まれる判定結果を参照し、安否事前確認信号受信部３４０より記憶判定部３６０に供給された受信日時情報により示される日時以前の所定時間以内に住戸内における入居者の行動が有ったことを示す検出情報が検出情報記憶部３２０に記憶されているか否かについて住戸毎に判定する。そして、設定部６００は、入居者の行動が有ったことを示す検出情報が検出情報記憶部３２０に記憶されていると判定した住戸の入居者を安否確認対象外に設定する。
【００３７】
具体的には、設定部６００は、住戸情報記憶部５００に記憶されている住戸情報のうち、入居者の行動が有ったことを示す検出情報が検出情報記憶部３２０に記憶されていると判定した住戸（住戸ＩＤ）に対応する住戸情報に含まれる安否状況情報の値を「正常状態」に設定する。
【００３８】
一方、設定部６００は、入居者の行動が有ったことを示す検出情報が検出情報記憶部３２０に記憶されていないと判定した住戸の入居者を安否確認対象に設定する。具体的には、設定部６００は、住戸情報記憶部５００に記憶されている住戸情報のうち、入居者の行動が有ったことを示す検出情報が検出情報記憶部３２０に記憶されていないと判定した住戸（住戸ＩＤ）に対応する住戸情報に含まれる安否状況情報の値を「安否確認中」に設定する。そして、設定部６００は、どの入居者を安否確認対象に設定したかを示す安否確認対象通知情報を安否確認信号送信部６４０に出力する。ここで、安否確認対象通知情報は、安否確認対象に設定した住戸の住戸ＩＤを含む。
【００３９】
また、設定部６００は、安否状況情報受信部５８０より出力された安否状況情報を入力し、その安否状況情報に安否正常情報が含まれているか否かについて判定する。もし、安否状況情報に安否正常情報が含まれていると設定部６００にて判定した場合、設定部６００は、住戸情報記憶部５００に記憶されている住戸情報のうち、安否状況情報に含まれる住戸ＩＤに対応する住戸情報に含まれる安否状況情報の値を「安否確認中」から「正常状態」に設定変更する。一方、安否状況情報に安否正常情報が含まれていない（すなわち、安否異常信号が含まれている）と設定部６００にて判定した場合、設定部６００は、住戸情報記憶部５００に記憶されている住戸情報のうち、安否状況情報に含まれる住戸ＩＤに対応する住戸情報に含まれる安否状況情報の値を「安否確認中」から「異常状態」に設定変更する。
【００４０】
安否状況情報表示部６２０は、各住戸内の入居者の安否状況を示す安否状況情報を含む安否状況情報表示画面をディスプレイ２４０に出力する。具体的には、安否状況情報表示部６２０は、住戸情報記憶部５００に記憶されている住戸情報を参照し、安否状況情報の値が「安否確認中」に設定されている住戸情報に含まれる住戸ＩＤに対応する住戸内の入居者の安否状況を示す安否状況情報として「安否確認中」をディスプレイ２４０に表示させる。ただし、安否状況情報表示部６２０は、住戸情報記憶部５００に記憶されている住戸情報を参照し、安否状況情報の値が「正常状態」に設定されている住戸情報に含まれる住戸ＩＤに対応する住戸内の入居者の安否状況を示す安否状況情報についてはディスプレイ２４０に表示させない。つまり、安否状況情報表示部６２０は、図３に示すように、安否状況情報の値が「正常状態」に設定されている住戸情報に含まれる住戸ＩＤに対応する住戸内の入居者の安否状況情報を安否状況情報表示画面の表示対象から外し、それ以外の入居者（安否確認対象の入居者）の安否状況情報（図３の符号２５０ａ〜２５０ｄ）のみを表示する。
【００４１】
また、安否状況情報表示部６２０は、住戸情報記憶部５００に記憶されている住戸情報を参照し、安否状況情報の値が「安否確認中」から「正常状態」に設定変更されている住戸情報に含まれる住戸ＩＤに対応する住戸について、入居者の安否状況を示す安否状況情報を「安否確認中」から「正常状態」に変更してディスプレイ２４０に表示させる。また、安否状況情報表示部６２０は、住戸情報記憶部５００に記憶されている住戸情報を参照し、安否状況情報の値が「安否確認中」から「異常状態」に設定変更されている住戸情報に含まれる住戸ＩＤに対応する住戸について、入居者の安否状況を示す安否状況情報を「安否確認中」から「異常状態」に変更してディスプレイ２４０に表示させる。
【００４２】
安否確認信号送信部６４０は、設定部６００より出力された安否確認対象通知情報を入力した場合、安否確認対象通知情報に含まれる住戸ＩＤに対応する住戸に設置されている住戸制御装置２００に対して安否確認信号を送信する。
【００４３】
警告部６６０は、住戸情報記憶部５００に記憶されている住戸情報を参照し、安否状況情報の値が「安否確認中」から「異常状態」に設定変更されている住戸情報に含まれる住戸ＩＤに対応する住戸内における入居者に異常があったことを警告するための警告音声をスピーカ２６０から出力する。ディスプレイ２４０の表示または警告部６６０による警告を受けて、管理室にいる管理者は、どの住戸内における入居者に異常があったかを把握することができる。
【００４４】
次に、第１の実施形態における安否確認システム１００の動作について説明する。図２は、安否確認システム１００の動作例を示すフローチャートである。なお、安否確認システム１００は複数の住戸制御装置２００を備えているが、各住戸制御装置２００の動作は同一であるため、１つの住戸制御装置２００を代表的に抽出して説明する。
【００４５】
図２において、まず、親機２２０の安否確認操作検出部５２０は、安否確認ボタン２８０が押下されたか否かについて判定する（ステップＳ１００）。もし、安否確認ボタン２８０が押下されていないと安否確認操作検出部５２０にて判定した場合（ステップＳ１００にてＮＯ）、処理はステップＳ１００に遷移し、安否確認ボタン２８０が押下されるまで判定処理を繰り返す。
【００４６】
一方、安否確認ボタン２８０が押下されたと安否確認操作検出部５２０にて判定した場合（ステップＳ１００にてＹＥＳ）、安否確認操作検出部５２０はその旨を安否事前確認信号送信部５４０に通知する。この通知を受けて、安否事前確認信号送信部５４０は、各住戸に設置されている住戸制御装置２００に安否事前確認信号を送信する（ステップＳ１２０）。
【００４７】
住戸制御装置２００の安否事前確認信号受信部３４０は、安否事前確認信号送信部５４０から安否事前確認信号を受信したか否かについて判定する（ステップＳ１４０）。もし、安否事前確認信号送信部５４０から安否事前確認信号を受信していないと安否事前確認信号受信部３４０にて判定した場合（ステップＳ１４０にてＮＯ）、処理はステップＳ１４０に遷移し、安否事前確認信号を受信するまで判定処理を繰り返す。一方、安否事前確認信号送信部５４０から安否事前確認信号を受信したと安否事前確認信号受信部３４０にて判定した場合（ステップＳ１４０にてＹＥＳ）、安否事前確認信号受信部３４０は、安否事前確認信号を受信した日時を示す受信日時情報を記憶判定部３６０に出力する。
【００４８】
次に、記憶判定部３６０は、安否事前確認信号受信部３４０より出力された受信日時情報を入力し、その受信日時情報により示される日時以前の所定時間（例えば、１時間）以内に住戸内における入居者の行動が有ったことを示す検出情報が検出情報記憶部３２０に記憶されているか否かを判定する（ステップＳ１６０）。そして、記憶判定部３６０は、検出情報が検出情報記憶部３２０に記憶されているか否かを示す判定結果情報を判定結果情報送信部３８０に出力する。次に、判定結果情報送信部３８０は、記憶判定部３６０より出力された判定結果情報を入力し、その判定結果情報を親機２２０に送信する（ステップＳ１８０）。
【００４９】
親機２２０の判定結果情報受信部５６０は、判定結果情報送信部３８０から判定結果情報を受信したか否かについて判定する（ステップＳ２００）。もし、判定結果情報送信部３８０から判定結果情報を受信していないと判定結果情報受信部５６０にて判定した場合（ステップＳ２００にてＮＯ）、処理はステップＳ２００に遷移し、判定結果情報を受信するまで判定処理を繰り返す。一方、判定結果情報送信部３８０から判定結果情報を受信したと判定結果情報受信部５６０にて判定した場合（ステップＳ２００にてＹＥＳ）、判定結果情報受信部５６０は、受信した判定結果情報を設定部６００に出力する。
【００５０】
次に、設定部６００は、判定結果情報受信部５６０より出力された判定結果情報を入力し、その判定結果情報に含まれる判定結果を参照し、安否事前確認信号受信部３４０より記憶判定部３６０に供給された受信日時情報により示される日時以前の所定時間以内に住戸内における入居者の行動が有ったことを示す検出情報が検出情報記憶部３２０に記憶されているか否か（入居者の行動があったか）について判定する（ステップＳ２２０）。設定部６００は、実際にはこの判定を、判定結果情報受信部５６０が各住戸から受信した判定結果情報のそれぞれについて行う。
【００５１】
もし、入居者の行動が有ったことを示す検出情報が検出情報記憶部３２０に記憶されていると設定部６００にて判定した場合（ステップＳ２２０にてＹＥＳ）、設定部６００は、判定結果情報に含まれる住戸ＩＤに対応する住戸内における入居者を安否確認対象外に設定する（ステップＳ２４０）。安否状況情報表示部６２０は、住戸情報記憶部５００に記憶されている住戸情報を参照し、安否状況情報の値が「正常状態」に設定されている住戸情報に含まれる住戸ＩＤに対応する住戸内の入居者の安否状況情報をディスプレイ２４０に表示される安否状況情報表示画面の表示対象から外す。その後、安否確認システム１００は図２における処理を終了する。
【００５２】
一方、入居者の行動が有ったことを示す検出情報が検出情報記憶部３２０に記憶されていないと設定部６００にて判定した場合（ステップＳ２２０にてＮＯ）、設定部６００は、判定結果情報に含まれる住戸ＩＤに対応する住戸内における入居者を安否確認対象に設定する（ステップＳ２６０）。そして、設定部６００は、どの入居者を安否確認対象に設定したかを示す安否確認対象通知情報を安否確認信号送信部６４０に出力する。安否状況情報表示部６２０は、住戸情報記憶部５００に記憶されている住戸情報を参照し、安否状況情報の値が「安否確認中」に設定されている住戸情報に含まれる住戸ＩＤに対応する住戸内の入居者の安否状況情報として「安否確認中」をディスプレイ２４０に表示させる（ステップＳ２８０）。
【００５３】
次に、安否確認信号送信部６４０は、安否確認対象通知情報を入力し、そこに含まれる住戸ＩＤに対応する住戸に設置されている住戸制御装置２００に対して安否確認信号を送信する（ステップＳ３００）。
【００５４】
住戸制御装置２００の安否確認信号受信部４００は、安否確認信号送信部６４０から安否確認信号を受信したか否かについて判定する（ステップＳ３２０）。もし、安否確認信号送信部６４０から安否確認信号を受信していないと安否確認信号受信部４００にて判定した場合（ステップＳ３２０にてＮＯ）、処理はステップＳ３２０に遷移し、安否確認信号を受信するまで判定処理を繰り返す。一方、安否確認信号送信部６４０から安否確認信号を受信したと安否確認信号受信部４００にて判定した場合（ステップＳ３２０にてＹＥＳ）、安否確認信号受信部４００は、安否確認信号を受信した旨を示す通知信号をタイマカウンタ４２０に出力するとともに、住戸内における入居者に対して「安否確認中です。応答ボタンを押してください。」というメッセージを天井スピーカ１６０を介して通知する。
【００５５】
次に、安否判定部４６０は、タイマカウンタ４２０より出力された経過時間情報を入力し、その経過時間情報により示される経過時間が所定時間（例えば、５分）を越える前に、応答操作検出部４４０より出力された応答操作検出信号を入力したか否かを判定する（ステップＳ３４０）。もし、経過時間が所定時間を越える前に応答操作検出信号を入力したと安否判定部４６０にて判定した場合（ステップＳ３４０にてＹＥＳ）、安否判定部４６０は、入居者が無事であることを示す安否正常情報を安否状況情報送信部４８０に出力する（ステップＳ３６０）。次に、安否状況情報送信部４８０は、安否判定部４６０より出力された安否正常情報を入力し、その安否正常情報を含む安否状況情報を親機２２０に送信する（ステップＳ３８０）。
【００５６】
一方、経過時間が所定時間を越えても応答操作検出信号を入力していないと安否判定部４６０にて判定した場合（ステップＳ３４０にてＮＯ）、安否判定部４６０は、入居者に異常があったことを示す安否異常情報を安否状況情報送信部４８０に出力する（ステップＳ４００）。次に、安否状況情報送信部４８０は、安否判定部４６０より出力された安否異常情報を入力し、その安否異常情報を含む安否状況情報を親機２２０に送信する（ステップＳ４２０）。
【００５７】
親機２２０の安否状況情報受信部５８０は、安否状況情報送信部４８０から安否状況情報を受信したか否かについて判定する（ステップＳ４４０）。もし、安否状況情報送信部４８０から安否状況情報を受信していないと安否状況情報受信部５８０にて判定した場合（ステップＳ４４０にてＮＯ）、処理はステップＳ４４０に遷移し、安否状況情報を受信するまで判定処理を繰り返す。一方、安否状況情報送信部４８０から安否状況情報を受信したと安否状況情報受信部５８０にて判定した場合（ステップＳ４４０にてＹＥＳ）、安否状況情報受信部５８０は、受信した安否状況情報を設定部６００に出力する。
【００５８】
次に、設定部６００は、安否状況情報受信部５８０より出力された安否状況情報を入力し、その安否状況情報に安否正常情報が含まれているか否かについて判定する（ステップＳ４６０）。設定部６００は、実際にはこの判定を、安否確認信号送信部６４０が安否確認信号を送信した各住戸の住戸制御装置２００が備える安否状況情報送信部４８０から安否状況情報受信部５８０が受信した安否状況情報のそれぞれについて行う。もし、安否状況情報に安否正常情報が含まれていると設定部６００にて判定した場合（ステップＳ４６０にてＹＥＳ）、設定部６００は、住戸情報記憶部５００に記憶されている住戸情報のうち、安否状況情報を送信してきた住戸制御装置２００の住戸ＩＤに対応する住戸情報に含まれる安否状況情報の値を「安否確認中」から「正常状態」に設定変更する。安否状況情報表示部６２０は、住戸情報記憶部５００に記憶されている住戸情報を参照し、安否状況情報の値が「安否確認中」から「正常状態」に設定変更されている住戸情報に含まれる住戸ＩＤに対応する住戸について、入居者の安否状況を示す安否状況情報を「安否確認中」から「正常状態」に変更してディスプレイ２４０に表示させる（ステップＳ４８０）。
【００５９】
一方、安否状況情報に安否正常情報が含まれていない（すなわち、安否状況情報に安否異常情報が含まれている）と設定部６００にて判定した場合（ステップＳ４６０にてＮＯ）、設定部６００は、住戸情報記憶部５００に記憶されている住戸情報のうち、安否状況情報受信部５８０に対して安否状況情報を送信した住戸に対応する住戸情報に含まれる安否状況情報の値を「安否確認中」から「異常状態」に設定変更する。安否状況情報表示部６２０は、住戸情報記憶部５００に記憶されている住戸情報を参照し、安否状況情報の値が「安否確認中」から「異常状態」に設定変更されている住戸情報に含まれる住戸ＩＤに対応する住戸について、入居者の安否状況を示す安否状況情報を「安否確認中」から「異常状態」に変更してディスプレイ２４０に表示させる（ステップＳ５００）。同時に、警告部６６０は、住戸情報記憶部５００に記憶されている住戸情報を参照し、安否状況情報の値が「安否確認中」から「異常状態」に設定変更されている住戸情報に含まれる住戸ＩＤに対応する住戸内における入居者に異常があったことを警告するための警告音声をスピーカ２６０から出力する（ステップＳ５２０）。ステップＳ４８０またはＳ５２０の処理が終了した後に、安否確認システム１００は図２における処理を終了する。
【００６０】
以上詳しく説明したように、第１の実施形態では、各住戸の住戸制御装置２００は、当該各住戸内における入居者の行動の有無、および当該入居者の行動の有無が検出された日時を示す検出情報を検出情報記憶部３２０に逐次記憶しておく。そして、安否確認の実行時にはまず、親機２２０から安否事前確認信号を各住戸の住戸制御装置２００に送信する。各住戸制御装置２００では、安否事前確認信号を受信した時以前の所定時間以内に入居者の行動が有ったことを示す検出情報が検出情報記憶部３２０に記憶されているか否かを判定し、記憶されている場合はその旨を示す判定結果情報を親機２２０に送信する。この判定結果情報を受けた親機２２０は、当該判定結果情報を送信してきた住戸制御装置２００が設置されている住戸の入居者を、安否確認対象外に設定するとともに、当該入居者の安否状況情報（正常状態）をディスプレイ２４０に表示される安否状況情報表示画面の表示対象から外す。
【００６１】
以上より、安否確認を行う直近の所定時間以内に入居者の行動が検出された住戸については、安否事前確認信号に基づき検出情報記憶部３２０の検出情報を確認する判定処理により、入居者の安否が無事（正常状態）と推定され、安否確認信号を送って安否確認を行わなくても済むようになる。さらに、管理者は、安否確認の結果として、ディスプレイ２４０に表示されている安否確認対象の住戸に対応する安否状況情報のみを確認すれば良くなる。このため、管理者が全住戸内における入居者の安否状況情報を確認しなければならない従来技術に比べて、実際に安否確認の結果としてディスプレイ２４０に表示される安否状況情報を確認しなければならない入居者の数は減ることとなる。よって、管理者による安否確認作業の負荷を減らすことができる。
【００６２】
次に、本発明の第２の実施形態を図面に基づいて説明する。図４は、第２の実施形態による安否確認システム１００′の全体構成例を示すブロック図である。なお、この図４において、図１に示した符号と同一の符号を付したものは同一の機能を有するものであるので、ここでは重複する説明を省略する。
【００６３】
第２の実施形態において、安否確認システム１００′は、電気錠７００、在室設定ボタン７２０およびキーホルダースイッチ７４０を更に備えて構成されている。電気錠７００、在室設定ボタン７２０およびキーホルダースイッチ７４０は、集合住宅の各住戸に設置される。住戸制御装置２００′は、不在検出部７６０および不在検出信号送信部７８０を更に備えて構成されている。親機２２０′は、図１の安否事前確認信号送信部５４０および設定部６００に代えて安否事前確認信号送信部５４０′および設定部６００′をそれぞれ備えて構成されている。また、親機２２０′は、不在検出信号受信部８００および未入居設定部８２０を更に備えて構成されている。
【００６４】
電気錠７００は、各住戸の玄関ドアに設置され、住戸制御装置２００′との間で通信可能に電気的に接続されている。この電気錠７００は、部屋の外部からの玄関ドアの施錠を検出したときに、入居者が外出したと推定して、入居者の不在を示す入居者不在検出信号を住戸制御装置２００′に出力する。ただし、電気錠７００は、在室設定ボタン７２０から後述する制御信号を入力した場合、部屋の外部からの玄関ドアの施錠を検出しても、入居者が外出したと推定せず、入居者不在検出信号を住戸制御装置２００′に出力することは行わない。
【００６５】
在室設定ボタン７２０は、各住戸の所定の場所に設置され、電気錠７００との間で通信可能に電気的に接続されている。この在室設定ボタン７２０は、入居者が外出する場合、住戸内に他の入居者が在室しているとき、何れかの入居者が押下するために使用される。在室設定ボタン７２０は、入居者により押下されたことを検出した場合、外出する入居者による外部からの玄関ドアの施錠を検出した電気錠７００が入居者不在検出信号を住戸制御装置２００′に出力する機能を無効にするための制御信号を電気錠７００に出力する。
【００６６】
キーホルダースイッチ７４０は、各住戸の所定の場所に設置され、住戸制御装置２００′との間で通信可能に電気的に接続されている。このキーホルダースイッチ７４０は、入居者が在室している場合にカードキーを挿入するためのキーホルダー内にカードキーが存在しない（すなわち、入居者は外出している）ことを検出して、当該入居者の不在を示す入居者不在検出信号を住戸制御装置２００′に出力する。なお、カードキーを挿入するためのキーホルダーは２つ以上あっても良い。この場合、キーホルダースイッチ７４０は、全てのキーホルダーにカードキーが挿入されていないときに、入居者不在検出信号を住戸制御装置２００′に出力する。
【００６７】
なお、各住戸では、電気錠７００、在室設定ボタン７２０およびキーホルダースイッチ７４０の全てを備える必要は必ずしもない。例えば、電気錠７００および在室設定ボタン７２０のみを備えるようにしても良い。または、キーホルダースイッチ７４０のみを備えるようにしても良い。特に、１つの住戸に入居者が１人の場合は、当該住戸は電気錠７００のみを備えるようにしても良い。または、キーホルダースイッチ７４０のみを備えて、キーホルダーを１つのみとしても良い。
【００６８】
不在検出部７６０は、電気錠７００またはキーホルダースイッチ７４０より出力された入居者不在検出信号を入力した場合、住戸内における入居者の不在を検出する。また、不在検出部７６０は、住戸内における入居者の不在を検出した場合、その旨を示す不在検出信号を不在検出信号送信部７８０に出力する。不在検出信号送信部７８０は、不在検出部７６０より出力された不在検出信号を入力し、その不在検出信号を親機２２０′に送信する。ここで、不在検出信号は、入居者の不在が検出された住戸を識別するための住戸ＩＤを含む。
【００６９】
親機２２０′の不在検出信号受信部８００は、不在検出信号送信部７８０より送信された不在検出信号を受信する。そして、不在検出信号受信部８００は、受信した不在検出信号を設定部６００′に出力する。未入居設定部８２０は、操作部（図示せず）に対するユーザ操作に応じて、住戸情報記憶部５００に記憶されている住戸情報のうち、当該ユーザ操作を介して入力された（未入居の住戸に対応する）住戸ＩＤを含む住戸情報を検索する。そして、未入居設定部８２０は、検索した住戸情報に含まれる安否状況情報の値に「正常状態（未入居）」を設定する。
【００７０】
設定部６００′は、図１の設定部６００が有する機能に加えて、次の機能を有する。すなわち、設定部６００′は、不在検出信号受信部８００より出力された不在検出信号を入力した場合、当該不在検出信号に含まれる住戸ＩＤに対応する住戸内における入居者を安否確認対象外に設定する。具体的には、設定部６００′は、住戸情報記憶部５００に記憶されている住戸情報のうち、不在検出信号に含まれる住戸ＩＤの住戸に対応する住戸情報に含まれる安否状況情報の値を「正常状態（不在）」に設定する。
【００７１】
安否状況情報表示部６２０は、住戸情報記憶部５００に記憶されている住戸情報を参照し、安否状況情報の値が「正常状態（不在）」に設定されている住戸情報に含まれる住戸ＩＤに対応する住戸内の入居者の安否状況を示す安否状況情報をディスプレイ２４０に表示される安否状況情報表示画面の表示対象から外す。また、安否状況情報表示部６２０は、住戸情報記憶部５００に記憶されている住戸情報を参照し、安否状況情報の値が「正常状態（未入居）」に設定されている住戸情報に含まれる住戸ＩＤに対応する住戸内の入居者の安否状況を示す安否状況情報をディスプレイ２４０に表示される安否状況情報表示画面の表示対象から外す。
【００７２】
安否事前確認信号送信部５４０′は、住戸情報記憶部５００に記憶されている住戸情報を参照し、安否状況情報の値が「正常状態（不在）」または「正常状態（未入居）」の何れかに設定されている住戸情報に含まれる住戸ＩＤ以外の住戸ＩＤに対応する住戸（すなわち、安否事前確認対象の住戸）に設置されている住戸制御装置２００′に安否事前確認信号を送信する。
【００７３】
以上詳しく説明したように、第２の実施形態では、親機２２０′は、不在検出部７６０にて入居者の不在を検出した住戸制御装置２００′が設置されている住戸の入居者を、安否確認対象外に設定するとともに、当該入居者の安否状況情報をディスプレイ２４０に表示される安否状況情報表示画面の表示対象から外す。さらに、親機２２０′は、未入居設定部８２０にて未入居が設定された住戸に対応する住戸制御装置２００′が設置されている住戸の入居者を、安否確認対象外に設定するとともに、当該入居者の安否状況情報をディスプレイ２４０に表示される安否状況情報表示画面の表示対象から外す。以上より、入居者の不在が検出された住戸および未入居が設定された住戸についても、安否確認信号を送って安否確認を行わなくても済むようになるので、第１の実施形態に比べて、実際に安否確認の結果としてディスプレイ２４０に表示される安否状況情報を確認しなければならない入居者の数はさらに減ることとなる。よって、管理者による安否確認作業の負荷をさらに減らすことができる。
【００７４】
なお、上記第２の実施形態では、不在検出部７６０により不在が検出された入居者を安否確認対象外に設定するとともに、未入居設定部８２０により未入居が設定された住戸内における入居者を安否確認対象外に設定する例について説明したが、本発明はこれに限定されない。例えば、不在検出部７６０により不在が検出された入居者、または、未入居設定部８２０により未入居が設定された住戸内における入居者の何れかの入居者のみを安否確認対象外に設定するようにしても良い。
【００７５】
また、上記第１および第２の実施形態では、タイマカウンタ４２０より出力された経過時間情報により示される経過時間が所定時間を越える前に、応答操作検出部４４０より応答操作検出信号が出力された場合、入居者が無事であることを示す安否正常情報を安否判定部４６０が安否状況情報送信部４８０に出力する例について説明したが、本発明はこれに限定されない。例えば、タイマカウンタ４２０より出力された経過時間情報により示される経過時間が所定時間を越える前に、行動有無検出部３００により入居者の行動が有ったと判断された場合、安否正常情報を安否判定部４６０が安否状況情報送信部４８０に出力するようにしても良い。
【００７６】
また、上記第１および第２の実施形態では、住戸制御装置２００（２００′）がタイマカウンタ４２０、安否判定部４６０を備える例について説明したが、親機２２０（２２０′）が備えるようにしても良い。この場合、住戸制御装置２００（２００′）の安否確認信号受信部４００は、安否確認信号を受信した場合、住戸内における入居者に対して「安否確認中です。応答ボタンを押してください。」というメッセージを天井スピーカ１６０を介して通知する。また、応答操作検出部４４０は、応答操作検出信号を安否状況情報送信部４８０に出力する。応答操作検出部４４０より出力された応答操作検出信号を入力した場合、安否状況情報送信部４８０は、安否正常情報を含む安否状況情報を親機２２０（２２０′）に送信する。
【００７７】
親機２２０（２２０′）側では、タイマカウンタ４２０は、安否確認信号送信部６４０が安否確認信号を住戸制御装置２００（２００′）に出力した時刻から現在の時刻までの経過時間を算出する。また、安否判定部４６０は、タイマカウンタ４２０より出力された経過時間情報を入力し、その経過時間情報により示される経過時間が所定時間（例えば、５分）を越える前に、安否状況情報受信部５８０により安否正常情報を含む安否状況情報が受信されたか否かを各住戸毎に判定する。もし、経過時間情報により示される経過時間が所定時間を越える前に、安否状況情報受信部５８０により安否正常情報を含む安否状況情報が受信されたと安否判定部４６０にて判定した場合、安否判定部４６０は、当該安否状況情報に含まれる安否正常情報および住戸ＩＤを設定部６００に出力する。設定部６００は、住戸情報記憶部５００に記憶されている住戸情報のうち、安否判定部４６０より入力した住戸ＩＤに対応する住戸情報に含まれる安否状況情報の値を「安否確認中」から「正常状態」に設定変更する。
【００７８】
一方、タイマカウンタ４２０より出力された経過時間情報により示される経過時間が所定時間を越えても、安否状況情報受信部５８０により安否正常情報を含む安否状況情報が受信されていないと安否判定部４６０にて判定した場合、安否判定部４６０は、当該安否状況情報に含まれる住戸ＩＤ、および安否異常情報を設定部６００′に出力する。設定部６００′は、住戸情報記憶部５００に記憶されている住戸情報のうち、安否判定部４６０より入力した住戸ＩＤに対応する住戸情報に含まれる安否状況情報の値を「安否確認中」から「異常状態」に設定変更する。
【００７９】
また、上記第１および第２の実施形態では、安否状況情報表示部６２０が、住戸情報記憶部５００に記憶されている住戸情報を参照し、安否状況情報の値が「正常状態」に設定されている住戸情報に含まれる住戸ＩＤに対応する住戸内の入居者の安否状況情報をディスプレイ２４０に表示される安否状況情報表示画面の表示対象から外す例について説明したが、本発明はこれに限定されない。例えば、安否状況情報表示部６２０は、安否状況情報の値が「正常状態」，「正常状態（不在）」，「正常状態（未入居）」に設定されている住戸情報に含まれる住戸ＩＤに対応する住戸内の入居者の安否状況情報の値に”＊（アスタリスク）”等を設定してマスク表示するようしても良い。また、安否状況情報表示部６２０は事前に、安否状況情報の値が「正常状態」に設定されている住戸情報に含まれる住戸ＩＤに対応する住戸内の入居者の安否状況情報の色を目立たない薄い色にして、それ以外の入居者（すなわち、安否確認対象の入居者）の安否状況情報の色を目立つ赤色にして表示するようにしても良い。
【００８０】
また、上記第１および第２の実施形態では、警告部６６０が、住戸情報記憶部５００に記憶されている住戸情報を参照し、安否状況情報の値が「安否確認中」から「異常状態」に設定変更されている住戸情報に含まれる住戸ＩＤに対応する住戸内における入居者に異常があったことを警告するための警告音声をスピーカ２６０から出力する例について説明したが、この警告音声を出力する処理は必須の処理ではない。ただし、警告音声をスピーカ２６０から出力する処理を行う方が、住戸内における入居者に異常があった住戸を管理者に対してより確実に報知することができる点で好ましい。
【００８１】
また、上記第１および第２の実施形態では、行動有無検出部３００が、生活サイクルセンサ１２０により入居者の動きまたは当該入居者による水道・ガス・トイレの使用が検出できた場合に、入居者の行動が有ったと判断する例について説明したが、本発明はこれに限定されない。例えば、行動有無検出部３００は、生活サイクルセンサ１２０以外の検出手段（例えば、入居者から管理者へ緊急呼び出しを行う際に入居者が押下する緊急呼び出しボタン）より出力された押下検出信号に基づいて、入居者の行動が有ったと判断するようにしても良い。
【００８２】
その他、上記第１および第２の実施形態は、何れも本発明を実施するにあたっての具体化の一例を示したものに過ぎず、これらによって本発明の技術的範囲が限定的に解釈されてはならないものである。すなわち、本発明はその精神、またはその主要な特徴から逸脱することなく、様々な形で実施することができる。
【図面の簡単な説明】
【００８３】
【図１】第１の実施形態による安否確認システムの全体構成例を示すブロック図である。
【図２】第１の実施形態による安否確認システムの動作例を示すフローチャートである。
【図３】第１の実施形態による安否状況情報表示画面の例を示す図である。
【図４】第２の実施形態による安否確認システムの全体構成例を示すブロック図である。
【図５】従来の安否確認システムの全体構成例を示すブロック図である。
【図６】従来のディスプレイに表示される安否状況情報表示画面の例を示す図である。
【符号の説明】
【００８４】
１００，１００′  安否確認システム
２００，２００′  住戸制御装置
２２０，２２０′  親機
２８０  安否確認ボタン
３００  行動有無検出部
３２０  検出情報記憶部
３４０  安否事前確認信号受信部
３６０  記憶判定部
３８０  判定結果情報送信部
５４０，５４０′  安否事前確認信号送信部
５６０  判定結果情報受信部
６００，６００′  設定部
６４０  安否確認信号送信部
７６０  不在検出部
８２０  未入居設定部
【図１】
2010061414.tif 000003
【図２】
2010061414.tif 000004
【図３】
2010061414.tif 000005
【図４】
2010061414.tif 000006
【図５】
2010061414.tif 000007
【図６】
2010061414.tif 000008